(57)【要約】      （修正有）【課題】再利用のために水洗したペットボトルや、繰り返し使用のために洗浄した哺乳瓶等を、洗浄後、短時間で乾燥させるのに適したボトル乾燥具を提供する。【解決手段】略平板状の基台１と、ペットボトルＢまたは哺乳瓶を支持させるためのボトル支持体２と、キャップ受け体３とからなる。略平板状の基台１が、ボトル支持体２を連結する連結部１１と、ボトル内の水滴を受け止める水滴受けトレー部１２とを備え、ボトル支持体２が、基台１の連結部１１に連結した連結体部分２１と、側面視形状を略Ｌ字形に曲折させた曲折部２３と、その先端部に形成させた平面視Ｕ字形に凹入する凹入部か円形貫通穴に形成したボトル首部装着部２４とを備える。キャップ受け体３が、ボトルキャップＣを載置させるキャップ載置部３１か、掛止させるキャップ係止部かを備える。【選択図】図１
0003172824.tif 000002
【実用新案登録請求の範囲】
【請求項１】
略平板状の基台(1)と、ペットボトル(B)または哺乳瓶(N)を支持させるためのボトル支持体(2)と、キャップ受け体(3)とからなり、
前記略平板状の基台(1)が、ボトル支持体(2)を連結する連結部(11)と、ボトル内の水滴を受け止める水滴受けトレー部(12)とを備え、
前記ボトル支持体(2)が、前記基台(1)の連結部(11)に連結した連結体部分(21)と、側面視形状を略Ｌ字形に曲折させた曲折部(23)と、その先端部に形成させた平面視Ｕ字形に凹入する凹入部(24a)か円形貫通穴(24b)に形成したボトル首部装着部(24)とを備え、
前記キャップ受け体(3)が、ボトルキャップ(C)を載置させるキャップ載置部(31)か、掛止させるキャップ係止部(32)かを備えた構造としてあるボトル乾燥具。
【請求項２】
ボトル首部装着部(24)を所要間隔を隔てて２個形成してある請求項１に記載のボトル乾燥具。
【考案の詳細な説明】
【技術分野】
【０００１】
本考案は、主としてポリエチレンテレフタレート製ボトル、通称ペットボトルの使用済み容器を繰り返し利用または再利用するために、または、ガラス製や樹脂製の哺乳瓶を洗浄したとき、容器内部の付着水滴を排出し乾燥させるために適したボトル乾燥具に関するものである。
【背景技術】
【０００２】
周知の通り、ペットボトルは、内容飲料を飲用するとそのまま使用済み容器として廃棄される容器であるが、その一部の空容器は、例えば麦茶用容器や清水冷却用容器、そうめん汁やうどん汁等の作り置きだし汁保存用容器、その他の液体保存用容器として、冷蔵庫内に収納して冷却しておくために再使用されている。また、哺乳瓶の場合には、授乳後清潔に洗浄し、ときに熱湯により煮沸消毒して、繰り返し使用されている。
【先行技術文献】
【特許文献】
【０００３】
【特許文献１】特開平９−３０９５３６号公報
【考案の概要】
【考案が解決しようとする課題】
【０００４】
このようなペットボトルの再利用のために、ボトル内を水洗し、または、哺乳瓶のように水洗のみならず使用後煮沸消毒して殺菌したボトルは、開口部を下にして立ち姿としておくと、倒れ易く、容器内面に付着した水が開口内部に溜まって、ボトル内を短時間で乾燥させることができないので、他の便宜的手段として、台所用ボールやざる等を利用して、これらのボールやざるの中心部にボトルの口を向け、ボールやざるの外周部にボトルの底を載せて傾斜姿勢として乾燥させているのが現状である。このような台所用ボールやざるを利用した乾燥では、ボトル内の水が、ボトル肩部の窪みに溜まって速やかなボトル内の乾燥を行うことができにくいという課題を有するものであった。
【０００５】
しかしながら、使用済みペットボトルを水洗して再利用したいという潜在的な要求や、哺乳瓶の場合には、次の授乳のために繰り返し使用する必要性から、速やかなボトル内の清潔乾燥が求められるものであるにも拘わらず、このようなボトルの乾燥用具は、現在のところ存在しない。
【０００６】
本出願人は、先行技術文献の調査を行ったが、このような目的に合致した技術を記載した文献は見出すことはできなかった。前記特許文献１にみられる液注ぎ構造体は、容器内の液体をコップやグラスに注ぐために、液体を収容した容器を逆さ傾斜にして、吊り下げ姿勢に保持させるというものである。したがって、本考案の前記課題を解決することができる技術ではないが、先行技術として挙示した。
【０００７】
而して、本考案は、前記のように、再利用のために水洗したペットボトルや、ボトルの繰り返し使用のために洗浄した哺乳瓶等を、洗浄後、短時間で乾燥させるために使用するのに適したボトル乾燥具をここに提案するものである。
【課題を解決するための手段】
【０００８】
該目的を達成するために講じた本考案にいう請求項１に記載のボトル乾燥具の構成を、実施例において使用した符号を用いて説明すると、略平板状の基台１と、ペットボトルＢまたは哺乳瓶Ｎを支持させるためのボトル支持体２と、キャップ受け体３とからなり、前記略平板状の基台１が、ボトル支持体２を連結する連結部１１と、ボトル内の水滴を受け止める水滴受けトレー部１２とを備え、前記ボトル支持体２が、前記基台１の連結部１１に連結した連結体部分２１と、側面視形状を略Ｌ字形に曲折させた曲折部２３と、その先端部に形成させた平面視Ｕ字形に凹入する凹入部２４ａか円形貫通穴２４ｂに形成したボトル首部装着部２４とを備え、前記キャップ受け体３が、ボトルキャップＣを載置させるキャップ載置部３１か、掛止させるキャップ係止部３２かを備えた構造としたものである。
【０００９】
このような構成とした本考案にいうボトル乾燥具は、単一のボトル乾燥ができるもののみならず、請求項２に記載のように、２本のボトルを同時に乾燥させることができる構造として実施することもできるものである。
【考案の効果】
【００１０】
上記のように、本考案にいうところのボトル乾燥具は、ペットボトルや哺乳瓶のような深型のボトルを、その口部周辺の細首部分を有効に利用して逆さま姿勢に保持させる構造としたものであるから、洗浄後にペットボトルや哺乳瓶のような深型容器の内面に付着した水滴を開口部から確実に排出させ、容器内を短時間に乾燥させることができるという実用上の効果を期待できるものである。
【図面の簡単な説明】
【００１１】
【図１】第１実施例の使用状態を示す一部中央縦断側面図。
【図２】基台を示す平面図。
【図３】図２のＡ−Ａ線断面図。
【図４】図２の背面図。
【図５】ボトル支持体を示す平面図。
【図６】図５の側面図。
【図７】第２実施例の使用状態を示すＢ−Ｂ線断面図。
【図８】図７の基台を示す平面図。
【図９】乳首の係止突起部分を示すＣ−Ｃ線断面図。
【図１０】ボトル支持体を示す平面図。
【図１１】図１０の中央縦断側面図。
【図１２】図１０のボトル支持体の変形例を示す平面図。
【図１３】第３実施例の使用状態を示す一部中央縦断側面図。
【図１４】図１３の基台を示す平面図。
【図１５】図１３のボトル支持体を示す平面図。
【図１６】図１３のボトル支持体を示す側面図。
【考案を実施するための形態】
【実施例１】
【００１２】
以下に本考案にいうボトル乾燥具の第１実施例を図面に基づいて説明する。該実施例に示したボトル乾燥具は、ペットボトルの単体（一体のみ）を乾燥するために使用する形態としたものである。
【００１３】
該実施例のボトル乾燥具は、図１〜６に示したように、側面形状を略平板状に形成した基台１を備えていて、該基台１は、その長手方向の略中間部分に、前記ボトル支持体２の下端を差し込み支持させる空間を備えた連結部１１が形成され、その一端側に、図１において左側にボトル内の水滴を受け止める浅い皿形の水滴受けトレー部１２を備え、他側、図において右側には、ペットボトルＢのキャップＣを下向きに載置させるための環状溝を凹入形成したキャップ載置部３１を備えた構造としてある。また、全外周部に支持周壁１５を立ち上げ形成してある。
【００１４】
該基台１に連結する前記ボトル支持体２は、図１及び図５，６に示したように、基台１の前記連結部１１に差し込んで連結する連結体部分２１を下端に備え、その上部に続く支柱状の立上り部２２の上方に、一方向、図において左方向にほぼＬ字形に曲折させた曲折部２３を介して、その先端部には、図５にみられるように、平面視Ｕ字形に凹入させた凹入部２４ａを備えた二又形状のボトル首部装着部２４を備えている構造としたものである。このボトル首部装着部２４を構成する二又形状とした２本の腕２５，２５は、その先端部を開口部２６側に向けて少し突出するように形成してある。このようにして、凹入部２４ａの奥側に比して開口部２６側を少し狭く形成し、ボトルＢを傾斜姿勢とさせても安定保持できるようにしてある。
【００１５】
該実施例に示した前記キャップ受け体３におけるキャップ載置部３１を構成する環状溝には、図２に明示してあるように、環状溝底の周方向３カ所にキャップの密着を防止するための小突起３３を突出させてあり、この小突起３３によってキャップの周壁部を支持しキャップ内を中空姿勢として乾燥を早めることができるように配慮してある。なお、基台１の背面に吸着エラストマー等の粘着物を貼着しておくことによって、ボトルＢに不測に風圧や接触圧がかかった場合でも、容易には転倒しないようにしておくのが好ましい。
【実施例２】
【００１６】
図７乃至１１は第２実施例を示した図であって、この第２実施例に示したボトル乾燥具は、煮沸消毒洗浄した哺乳瓶Ｎの一本用の乾燥具であって、基台１の連結部１１に下端の連結体部分２１を差し込んで連結したボトル支持体２における立上り部２２の一側方にボトル首部装着部２４を突出させ、その中央部に、図１０，１１に示したように、円形状とした貫通穴２４ｂを形成してある構造としたものである。なお、図７に示した基台１部分と、図９とは、図８に示したＢ−Ｂ線とＣ−Ｃ線とに沿って切断した断面図を示したものである。また、該ボトル支持体２のボトル首部装着部２４を突出させた反対側には、図８に示したように、前後幅方向にキャップ用水受けトレー部１３と、乳首用水受けトレー部１４とを配置形成し、キャップ用水受けトレー部１３には、その周方向３カ所の底部から乳首締め付け用キャップＤの載置用小突起１６を突出させたキャップ載置部３１と、乳首用水受けトレー部１４には、その中央の底部から乳首ｔ係止用のポール状突起１７を突出させたキャップ係止部３２とを形成してある構造としたものである。
【００１７】
前記ボトル首部装着部２４には、図７のように、哺乳瓶Ｎの首部を下向きにした逆さま姿勢として貫通穴２４ｂに差し込み、哺乳瓶Ｎの肩部を貫通穴２４ｂの周壁の瓶受け部２７によって受け止めさせるようにし、前記３本の小突起１６上には、乳首締め付け用キャップＤを載置し、前記ポール状突起１７には哺乳瓶Ｎ用の乳首ｔを係止させて、洗浄した哺乳瓶Ｎと乳首締め付け用キャップＤと乳首ｔとを同時に乾燥させることができるようにしたものである。その他の事項については、前記第１実施例においてした説明に準ずる。
【００１８】
なお、図１２は、該第２実施例に示したボトル支持体２におけるボトル首部装着部２４の変形例を示したもので、該第２実施例において形成した貫通穴２４ｂに代えて、一端側を切除して、前記第１実施例のように、ボトル首部装着部２４を、２本の腕２５，２５を備えた二又形状としたものである。これら２本の腕２５，２５は、その先端部を開口部２６側に向けて少し膨出させてある形状としてあり、哺乳瓶Ｎが容易には、開口部２６から飛び出すことのないようにしてある。
【実施例３】
【００１９】
図１３乃至図１６は第３実施例を示したもので、ボトル首部装着部２４を図１３において左右方向に所要間隔を隔てて２個形成してある構造としたものである。該実施例に示したボトル乾燥具では、ボトル支持体２の上部を左右方向に分岐させ、それぞれの先端部に前記第１実施例に示したボトル首部装着部２４と類似の二又構造としたボトル首部装着部２４，２４を備えた構造としたものである。また、基台１は、図１４の平面図に示したように、左右２カ所に対称的に水受けトレー部１２，１２が形成され、これら２カ所の水受けトレー部１２，１２の中間位置で、基台１の前後幅方向の２カ所に、前記第１実施例に示した環状溝を備えたキャップ載置部３１，３１を形成してある構造としたものである。その他の点については、前記第１実施例に準ずる。
【００２０】
以上本考案の代表的と思われる実施例について説明したが、本考案は必ずしもこれらの実施例に示した構造のみに限定されるものではなく、本考案にいう前記の構成要件を備えていて、本考案にいう前記目的を達成し、上記の効果を有する範囲内において適宜改変して実施することができるものである。
【産業上の利用可能性】
【００２１】
ペットボトルの再利用や頻繁に洗浄を必要とする哺乳瓶のような深筒型の容器を清潔に洗浄した後のボトル内の乾燥を確実容易に行うことができるボトル乾燥具は現今の市場には存在しないので、本考案のボトル乾燥具を市場に供給すると市場において歓迎され重宝に使用されるものと考えられる。
【符号の説明】
【００２２】
１  基台
１１  連結部
１２  水滴受けトレー部
１３  キャップ用水受けトレー部
１４  乳首用水受けトレー部
１５  支持周壁
２  ボトル支持体
２１  連結体部分
２２  立上り部
２３  曲折部
２４  ボトル首部装着部
２４ａ  凹入部
２４ｂ  円形貫通穴
２５  腕
２７  瓶受け部
３  キャップ受け体
３１  キャップ載置部
３２  キャップ係止部
Ｂ  ペットボトル
Ｃ  ボトルキャップ
Ｎ  哺乳瓶
【図１】
0003172824.tif 000003
【図２】
0003172824.tif 000004
【図３】
0003172824.tif 000005
【図４】
0003172824.tif 000006
【図５】
0003172824.tif 000007
【図６】
0003172824.tif 000008
【図７】
0003172824.tif 000009
【図８】
0003172824.tif 000010
【図９】
0003172824.tif 000011
【図１０】
0003172824.tif 000012
【図１１】
0003172824.tif 000013
【図１２】
0003172824.tif 000014
【図１３】
0003172824.tif 000015
【図１４】
0003172824.tif 000016
【図１５】
0003172824.tif 000017
【図１６】
0003172824.tif 000018